(57)【要約】      （修正有）【課題】組立てハウスにおいて、可搬型発電機一台で単相電源と三相電源との両方を同時に使用できる組立てハウス用トランス付可搬型発電機を提供する。【解決手段】組立てハウスに装着するトランス付可搬型発電機を構成する。可搬型発電機７の三相電源にスコットトランス６を介して単相電源とする。一方、可搬型発電機７の三相電源をそのまま組立てハウスに供給するように構成する。収納ボックス８内に可搬型発電機７及びスコットトランス６を収納する。組立てハウスの各階に設置された電灯用配電ボックス９、１０に単相電源を供給する。組立てハウスの各階に設置された動力用配電ボックス１１、１２に三相電源を供給する。【選択図】図５
0003179015.tif 000002
【実用新案登録請求の範囲】
【請求項１】
組立てハウスに装着するトランス付可搬型発電機であって、可搬型発電機の三相電源にスコットトランスを介して単相電源とし、一方、可搬型発電機の三相電源をそのまま組立てハウスに供給するように構成したことを特徴とする組立てハウス用トランス付可搬型発電機。
【請求項２】
前記可搬型発電機及び前記スコットトランスは、前記組立てハウスと別体に構成された収納ボックス内に収納され、前記組立てハウスの各階に設置された電灯用配電ボックスに単相電源を供給し、前記組立てハウスの各階に設置された動力用配電ボックスに三相電源を供給するように構成された請求項１記載の組立てハウス用トランス付可搬型発電機。
【請求項３】
前記組立てハウスは、ユニットハウス又はプレハブハウスとする請求項１又は２記載の組立てハウス用トランス付可搬型発電機。
【考案の詳細な説明】
【技術分野】
【０００１】
本考案は、組立てハウスの電源として使用する組立てハウス用トランス付可搬型発電機に係り、特に、商用電源が引かれていない場所で使用するときや、停電などの緊急時に使用する際に、ユニットハウスやプレハブハウス等の組立てハウス用として効率良く利用することができる組立てハウス用トランス付可搬型発電機に関する。
【背景技術】
【０００２】
図１に示すごとく、組立てハウス１は一定モジュールの鉄骨ラーメン構造の直方体ハウスであり、組み合せにより、大小様々な空間を作り出す構築物である。建築物の大半が現場で施工された従来建築物に対し、組立てハウス１では、建築物の大半を機械的に工場で生産することにより、現場での工期が大幅に短縮されるものである。その用途としては、建設現場の仮設事務所はじめ、倉庫、仮設宿舎、また業務用店舗など本建築物としても使用されている。
【０００３】
この組立てハウス１を山間部など、商用電源が引かれていない場所で使用したいときや、停電などの緊急時に使用したいときの電源については、可搬型発電機を利用せざるを得ない。
【０００４】
組立てハウス１で可搬型発電機を利用する場合は、図２に示すごとく、電灯２などの単相電圧１００Ｖと、動力大型空調機３などの三相電圧２００Ｖを同時に使う頻度が多くなる。したがって、組立てハウス１で使用する従来の可搬型発電機は、単相電源と三相電源を分離して二台の可搬型発電機を備えていた。
【０００５】
特許文献１に、大きな病院、商店、工場、スーパーマーケット等のように、比較的大きな電力を必要とする施設に備える発電・変圧一体化装置が記載されている。この装置では、発電機とトランスを分離するもので、三相トランス、単相トランスが、第１の部屋、空間部、及び第２の部屋を通り、吸気孔から排気口まで流れる空気によって強制的に空冷されることで、大型施設に備える変圧装置の性能を充分に引き出し、装置の省エネルギー化、価格低減化、維持費用低減化を得ることができるというものである。
【先行技術文献】
【特許文献】
【０００６】
【特許文献１】特許第３９０８７１４号公報
【考案の概要】
【考案が解決しようとする課題】
【０００７】
低圧の可搬型発電機は、様々な負荷に電気を供給するため、三相三線式、三相四線式、単相二線式及び単相三線式の４種類がある。ところが、実際には、三相四線式と単相三線式とが出力できれば、ほとんどの負荷に電気を供給することが可能である。
【０００８】
従来の可搬型発電機においても、一台で三相電源より単相電源を使うことも可能だが、電圧の問題があるので使い勝手が悪くなる。すなわち、三相電源から三相四線配線方式により電力を使用すると、最大出力電力を発揮できるが、単相を使いたいときは三相電源からとることになるので、単相電圧と三相電圧のバランスを調整する必要が生じる。この単相電圧と三相電圧のバランスを調整することは、現実的に難しいものになっている。
【０００９】
すなわち、単相電源用で使うときには、可搬型発電機７の使える電力が制限されるので、単相電圧１００Ｖと三相電圧２００Ｖは、どちらかの電圧が異なってくる。たとえば三相電源電圧２００Ｖを基準とすると、単相電源電圧は１１５Ｖとなり、単相電源電圧１００Ｖを基準とすると、三相電源電圧１７３Ｖとなる。このようなことから、三相と単相との同時使用は一般的ではなかった。
【００１０】
しかしながら、組立てハウス７の場合は、単相電源と三相電源とを同時に使う頻度も多いので、可搬型発電機を二台設置することになる。このように、組立てハウスにおいて、可搬型発電機を二台使用すると経済的ではなく、しかも広い設置場所を用意する必要がある。また、騒音問題や燃料の二重使用など、様々な問題が生じていた。
【００１１】
しかも、組立てハウスは、特許文献１のごとく、大きな病院、商店、工場、スーパーマーケット等のような大型施設と構造が異なるため、発電機とトランスを分離して、第１の部屋、空間部、及び第２の部屋を通って吸気孔から排気口まで流れる空気によって強制的に空冷することは、組立てハウスの構造上困難である。
【００１２】
そこで本考案は、上述の課題を解消すべく案出されたもので、組立てハウスにおいて、可搬型発電機一台で単相電源と三相電源との両方を同時に使用でき、発電機の最大発電量を効率的に使用することができる組立てハウス用トランス付可搬型発電機の提供を目的とする。
【課題を解決するための手段】
【００１３】
上述の目的を達成すべく本考案における第１の手段は、組立てハウス１に装着するトランス付可搬型発電機であって、可搬型発電機７の三相電源にスコットトランス６を介して単相電源とし、一方、可搬型発電機７の三相電源をそのまま組立てハウス１に供給するように構成したことにある。
【００１４】
第２の手段は、前記可搬型発電機７及び前記スコットトランス６は、前記組立てハウス１と別体に構成された収納ボックス８内に収納され、前記組立てハウス１の各階に設置された電灯用配電ボックス９、１０に単相電源を供給し、前記組立てハウス１の各階に設置された動力用配電ボックス１１、１２に三相電源を供給するように構成されている。
【００１５】
第３の手段は、前記組立てハウス１はユニットハウス又はプレハブハウスとするものである。
【考案の効果】
【００１６】
請求項１のごとく、可搬型発電機７の三相電源にスコットトランス６を介して単相電源とし、一方、可搬型発電機７の三相電源をそのまま組立てハウス１に供給するように構成したことにより、組立てハウス１で使用する単相電源と三相電源を一台の可搬型発電機で同時に使えるようになった。
【００１７】
しかも、一台の可搬型発電機で最大発電能力を発揮し、特に単相電源の出力を大幅に向上させることができ、発電能力を有効に活用できる。この結果、コンパクトで、投資効果、騒音問題、燃費効率など有利な効果が得られるものである。
【００１８】
また、請求項２のように、可搬型発電機７及びスコットトランス６は、組立てハウス１と別体に構成された収納ボックス８内に収納され、組立てハウス１の各階に設置された電灯用配電ボックス９、１０に単相電源を供給し、組立てハウス１の各階に設置された動力用配電ボックス１１、１２に三相電源を供給するように構成したことで、組立てハウス１に最も多く使用される電灯２や大型空調機３に同時に電力を供給することができるものである。
【００１９】
請求項３のごとく、組立てハウス１はユニットハウス又はプレハブハウスとすることで、多用途、多目的の組立てハウス１に適用することが可能である。
【図面の簡単な説明】
【００２０】
【図１】組立てハウス構造を示す斜視図である。
【図２】組立てハウスに従来の電源を装着した状態を示す斜視図である。
【図３】本考案のスコットトランスを示す概念図である。
【図４】本考案の可搬型発電機とスコットトランスを用いた電気系統図である。
【図５】本考案の使用状態を示す斜視図である。
【考案を実施するための形態】
【００２１】
このように本考案によると、組立てハウスにおいて、可搬型発電機一台で単相電源と三相電源との両方を同時に使用でき、発電機の最大発電量を効率的に使用することができるなどといった当初の目的を達成した。
【実施例】
【００２２】
以下、図面を参照して本考案を詳細に説明する。本考案システムは、ユニットハウスやプレハブハウス等の組立てハウス１の工事を効率良く行うためのシステムである（図５参照）。図示例の組立てハウス１はユニットハウスを例示して説明しているが、プレハブハウスに配線工事を行うシステムとしても機能する。
【００２３】
本考案システムの基本構成は、可搬型発電機７及びスコットトランス６を、組立てハウス１と別体に構成された収納ボックス８内に収納したものである。
【００２４】
組立てハウス１の各階には、電灯用配電ボックス９、１０が設置されている。この電灯用配電ボックス９、１０に、単相電源を供給する。また、組立てハウス１の各階には、動力用配電ボックス１１、１２も設置されている。この動力用配電ボックス１１、１２に三相電源を供給するように構成したものである。
【００２５】
組立てハウス１に装着する可搬型発電機７には、可搬型発電機７の三相電源にスコットトランス６を介して単相電源としている。一方、可搬型発電機７の三相電源は、そのまま組立てハウス１に供給するように構成している。
【００２６】
図３にスコットトランス６の概念図を示す。トランス一次側コイル４とトランス二次側コイル５の構成になっており、一方のコイルに交流電圧を加えると他方の巻線に比例した電圧が得られるものである。特に、スコットトランス６は、入力側一次側の三相電源より、出力側単相電源２回路が取り出せる構造になっている。
【００２７】
本考案は、組立てハウス１の電源に可搬型発電機７を利用した場合、図４に示すとおり、効率良く電力を出力するためにスコットトランス６を介して単相電源を使い、一方、三相電源は可搬型発電機７よりそのまま利用することで、従来の可搬型発電機７を単相電源用と三相電源用として２台で使うよりも効率良く、安定した使用が可能になる。
【００２８】
図５に示すごとく、組立てハウス１の規模として、１階部４棟、２階部４棟の合計８棟分が連結した建物がある。１階部について電灯２などの単相電圧１００Ｖと、大型空調機３などの三相電圧２００Ｖを同時に使用する。
【００２９】
図示例では、スコットトランス６を介する可搬型発電機７が、コンパクトな収納ボックス８に設置されている。１階部分の電灯２への単相電源供給については、スコットトランス６の出力側単相電源２回路の中の１回路より、一階電灯用配電ボックス９に供給され、１階部４棟分に単相電源が供給される。
【００３０】
また、残りのスコットトランス６の出力側単相電源１回路より二階電灯用配電ボックス１０に供給され、２階部４棟分に単相電源が供給される。
【００３１】
三相電源については、可搬型発電機７より直接一階動力用配電ボックス１１に供給され、１階部の大型空調機３に動力電源が供給される。同様に、可搬型発電機７より直接、二階動力用配電ボックス１２に供給され、２階の大型空調機３に動力電源が供給される。
【００３２】
また、単相２００Ｖの電源については、スコットトランス６の２回路のうち１回路の単相２００Ｖ取出端子１３、１４の両端を接続することにより、単相２００Ｖの電源供給は可能である。このように、スコットトランス６を介する可搬型発電機７を一台使用するのみで、組立てハウス１内の単相電源と三相電源との両方を使用することが可能になる。
【００３３】
本考案の実施例において、組立てハウス１として、特に二階建ての多連棟ユニットハウスに基づいて説明しているが、図示例に限定されるものではなく、組立てハウス１はこの他、プレハブハウスなどに適用することができる。また、本考案の各構成や材質等は図示例等に限られるものではなく、本考案の要旨を変更しない範囲での設計変更は任意である。
【符号の説明】
【００３４】
１  組立てハウス
２  電灯
３  大型空調機
４  トランス一次側コイル
５  トランス二次側コイル
６  スコットトランス
７  可搬型発電機
８  収納ボックス
９  一階電灯用配電ボックス
１０  二階電灯用配電ボックス
１１  一階動力用配電ボックス
１２  二階動力用配電ボックス
１３  単相２００Ｖ取出端子
１４  単相２００Ｖ取出端子
【図１】
0003179015.tif 000003
【図２】
0003179015.tif 000004
【図３】
0003179015.tif 000005
【図４】
0003179015.tif 000006
【図５】
0003179015.tif 000007